(57)【要約】【課題】自走機能を備える円盤状の自走式掃除機を装飾するための自走式掃除機用装飾具であって、前記自走式掃除機に対して、ペット型ロボットのような愛らしい玩具としての機能を備えさせることが可能な、自走式掃除機用装飾具を提供する。【解決手段】自走機能を備える円盤状の自走式掃除機１００を装飾するための自走式掃除機用装飾具であって、前記自走式掃除機１００の上面を装飾する装飾手段としての装飾シール２や付属部品３と、これらの装飾シール２や付属部品３によって装飾された、前記自走式掃除機１００の形態に関連する効果音を発生する音声発生手段としての音声発生装置４と、を備える。【選択図】図１
2014014463.tif 000002
【特許請求の範囲】
【請求項１】
自走機能を備える円盤状の自走式掃除機を装飾するための自走式掃除機用装飾具であって、
前記自走式掃除機の上面を装飾する装飾手段と、
該装飾手段によって装飾された、前記自走式掃除機の形態に関連する効果音を発生する音声発生手段と、
を備える、
ことを特徴とする、自走式掃除機用装飾具。
【請求項２】
前記音声発生手段は、
電源のＯＮ・ＯＦＦ状態を切替えるための起動スイッチと、
前記自走式掃除機が移動状態にあることを検出する検出器と、
前記効果音に関する音声データを予め記憶するとともに、該音声データを実際の効果音として出力する音声出力器と、
前記起動スイッチ及び前記検出器からの入力信号に基づいて、前記音声出力器に出力信号を送信し、前記音声発生手段の運転を制御する制御部と、
を有する、
ことを特徴とする、請求項１記載の自走式掃除機用装飾具。
【請求項３】
前記音声発生手段において、
前記音声出力器には、複数種類の音声データが予め記憶されており、
実際の効果音として出力される音声データの種類を任意に選択可能な切替スイッチが設けられる、
ことを特徴とする、請求項２記載の自走式掃除機用装飾具。
【請求項４】
前記自走式掃除機は、前記装飾手段によって「動物」の形態に装飾され、
前記音声発生手段は、前記「動物」の鳴き声に関する音声を前記効果音として発生する、
ことを特徴とする、請求項１、２、又は３記載の自走式掃除機用装飾具。
【発明の詳細な説明】
【技術分野】
【０００１】
本発明は、自走機能を備える円盤状の自走式掃除機に装飾を施すための、自走式掃除機用装飾具の技術に関する。
【背景技術】
【０００２】
近年、家電業界においては、自走機能を備える自走式掃除機が、大いに注目されている（例えば「特許文献１」を参照）。
前記自走式掃除機は、例えば、略円盤状の外観を有して構成され、運転時においては、使用者の意思とは無関係に任意の方向に自走するとともに、運転終了時においては、予め定められた所定の場所（より詳しくは、充電器が備えられている場所）へと自動的に戻るようになっている。
このようなことから、従来、自走式掃除機の使用者からは、該自走式掃除機に対して、掃除機としての機能だけでなく、例えば、ペット型ロボットのような愛らしい玩具としての機能を備えることが切望されていた。
そこで、例えば装飾シールなどを用いて自走式掃除機を装飾し、該自走式掃除機の形態を、各使用者の好みに応じた愛らしい動物の形態に変更する方法が知られている。
より具体的には、装飾シールには、愛らしい動物のイラストが予め印刷されており、このような装飾シールを自走式掃除機の上面に貼設することによって、該自走式掃除機の平面視の形態を、愛らしい動物の形態に変更するのである。
【０００３】
このような装飾シールを用いれば、自走式掃除機の形態は、最も人の目に付く平面視の形態において、各使用者の好みに応じた愛らしい動物の形態に容易に変更することが可能となり、ペット型ロボットのような愛らしい玩具としての機能を備えることができると考えられる。
しかし、自走式掃除機は、運転時において、例えば内蔵される機器の騒音や、シグナル音など様々な音声を発することから、依然として、掃除機としてのイメージが付きまとうこととなり、視覚を通じて認識される形態についてのみ、愛らしい動物の形態に変更したとしても、自走式掃除機全体として、ペット型ロボットのような愛らしい玩具としての機能を十分に兼ね備えているとは言えなかった。
【先行技術文献】
【特許文献】
【０００４】
【特許文献１】特開２０１２−７５９３２号公報
【発明の概要】
【発明が解決しようとする課題】
【０００５】
本発明は、以上に示した現状の問題点を鑑みてなされたものであり、自走機能を備える円盤状の自走式掃除機を装飾するための自走式掃除機用装飾具であって、前記自走式掃除機に対して、ペット型ロボットのような愛らしい玩具としての機能を備えさせることが可能な、自走式掃除機用装飾具を提供することを課題とする。
【課題を解決するための手段】
【０００６】
本発明の解決しようとする課題は以上の如くであり、次にこの課題を解決するための手段を説明する。
【０００７】
即ち、請求項１においては、自走機能を備える円盤状の自走式掃除機を装飾するための自走式掃除機用装飾具であって、前記自走式掃除機の上面を装飾する装飾手段と、該装飾手段によって装飾された、前記自走式掃除機の形態に関連する効果音を発生する音声発生手段と、を備えるものである。
【０００８】
請求項２においては、請求項１記載の自走式掃除機用装飾具であって、前記音声発生手段は、電源のＯＮ・ＯＦＦ状態を切替えるための起動スイッチと、前記自走式掃除機が移動状態にあることを検出する検出器と、前記効果音に関する音声データを予め記憶するとともに、該音声データを実際の効果音として出力する音声出力器と、前記起動スイッチ及び前記検出器からの入力信号に基づいて、前記音声出力器に出力信号を送信し、前記音声発生手段の運転を制御する制御部と、を有するものである。
【０００９】
請求項３においては、請求項２記載の自走式掃除機用装飾具であって、前記音声発生手段において、前記音声出力器には、複数種類の音声データが予め記憶されており、実際の効果音として出力される音声データの種類を任意に選択可能な切替スイッチが設けられるものである。
【００１０】
請求項４においては、請求項１、２、又は３記載の自走式掃除機用装飾具であって、前記自走式掃除機は、前記装飾手段によって「動物」の形態に装飾され、前記音声発生手段は、前記「動物」の鳴き声に関する音声を前記効果音として発生するものである。
【発明の効果】
【００１１】
本発明の効果として、以下に示すような効果を奏する。
即ち、本発明における自走式掃除機用装飾具によれば、自走機能を備える円盤状の自走式装飾具に対して、ペット型ロボットのような愛らしい玩具としての機能を備えさせることが可能となる。
【図面の簡単な説明】
【００１２】
【図１】本発明の一実施形態に係る自走式掃除機用装飾具が着接された、自走式掃除機の全体的な構成を示した斜視図。
【図２】本実施形態における自走式掃除機用装飾具に備えられる、装飾シールの全体的な構成を示した図であって、（ａ）はその平面図、（ｂ）は（ａ）中の矢印Ｘの方向から見た断面側面図。
【図３】本実施形態における自走式掃除機用装飾具に備えられる、音声発生装置の全体的な構成を示したブロック図。
【図４】同じく、音声発生装置の作動手順を示したフローチャート。
【図５】別実施形態における音声発生装置の全体的な構成を示したブロック図。
【図６】一般的な自走式掃除機の全体的な構成を示した斜視図。
【発明を実施するための形態】
【００１３】
次に、発明の実施の形態を説明する。
［自走式掃除機用装飾具１］
先ず、本発明を具現化する自走式掃除機用装飾具１の構成について、図１、２、３、及び図６を用いて説明する。
なお、以下の説明に関しては便宜上、図１、及び図６における上下方向を自走式掃除機１００の上下方向と規定して記述する。また、図１、及び図６においては、矢印Ａの方向を前方と規定して記述する。
【００１４】
本実施形態における自走式掃除機用装飾具１（以下、「装飾具１」と記載する）は、自走式掃除機１００に対して、例えば、ペット型ロボットのような愛らしい玩具としての機能を備えさせるためのものである。
ここで、前記自走式掃除機１００は、自走機能を備える既知の自走式掃除機であって、略円盤状の外観を有して構成される。
【００１５】
そして、自走式掃除機１００は、装飾具１によって装飾されることにより、最も人の目に付く平面視の形態や、外部に発する音声を通じて、使用者の好みに応じた形態（例えば、あたかも自走する愛らしい生き物を想起させる形態）に擬態化されるのである。
【００１６】
装飾具１は、図１に示すように、主に、装飾手段としての装飾シール２や付属部品３、及び音声発生手段としての音声発生装置４などにより構成される。
前記装飾シール２は、平面視における自走式掃除機１００の形態を装飾するためのものであって、前記自走式掃除機１００の上面の略全面に貼着される。
ここで、装飾シール２は、図２（ｂ）に示すように、装飾シート２１や台紙２２などにより構成される。
【００１７】
装飾シート２１は、自走式掃除機１００の上面に直接貼着される部材である。
装飾シート２１は、例えば、耐水性に優れたシート状の合成樹脂や紙などによって形成され、その表面には、後述する所定の図柄が印刷される一方、その裏面には、昜剥離性粘着剤からなる粘着層２３が形成される。
そして、装飾シート２１は、粘着層２３を介して、台紙２２と剥離可能に貼着される。
【００１８】
台紙２２は、装飾シート２１の使用時までに、粘着層２３が外部に露出することを防ぐため部材である。
台紙２２は、例えば、離型性に優れたシート状の合成樹脂や紙などによって形成される。
【００１９】
そして、台紙２２は、装飾シート２１の裏面側に積層されつつ、剥離可能に貼着されることとなり、これにより、粘着層２３が、台紙２２によって全面を覆われることとなる。
【００２０】
このような構成からなる装飾シール２において、装飾シート２１の表面には、自走式掃除機１００の各使用者の好みに応じた形態、例えば、所定の生き物に関する図柄が印刷される。
即ち、図２（ａ）に示すように、本実施形態における装飾シート２１の表面には、デフォルメされた愛らしい「猫」の図柄が印刷される。
【００２１】
前記「猫」の図柄の輪郭２１ａは、自走式掃除機１００の上面（より具体的には、後述する表面カバー１０１）の輪郭に即して描かれている。また、装飾シート２１には、台紙２２にまで到達する切込みが、前記輪郭２１ａを表す曲線上に形成されている。
これにより、装飾シート２１の、前記「猫」の図柄の箇所のみが、台紙２２より容易に剥離できるようになっている。
【００２２】
ここで、前記「猫」の図柄は、複数のパーツに分割されて構成される。
特に、本実施形態においては、これらの「猫」の図柄を構成する複数のパーツについては、自走式掃除機１００の上面を構成する複数の部品（以下、「上面構成部品群」と記載する）の形状に基づいて、形成することとしている。
【００２３】
具体的には、図６に示すように、例えば、自走式掃除機１００の上面は、円盤形状の表面カバー１０１や、該表面カバー１０１の内側（平面部の中央側。以下同じ）において該表面カバー１０１と同軸上に配設される円盤形状の操作パネル１０２や、該操作パネル１０２の内側において該操作パネル１０２と同軸上に配設される円盤形状の操作ボタン１０３や、該操作ボタン１０３の内側において該操作ボタン１０３と同軸上に配設される円盤形状の起動ボタン１０４や、前記表面カバー１０１の内側且つ前記操作パネル１０２の外側（平面視における操作パネル１０２の外側）に配設される弧形状の取手１０５などにより構成される。
【００２４】
そして、図２（ａ）に示すように、表面カバー１０１の形状に基づき前記「猫」の図柄が分断され、本体シート２１Ａが形成される。
また、操作パネル１０２の形状に基づき前記「猫」の図柄が分断され、第一部分シート２１Ｂが形成される。
また、操作ボタン１０３の形状に基づき前記「猫」の図柄が分断され、第二部分シート２１Ｃが形成される。
また、起動ボタン１０４の形状に基づき前記「猫」の図柄が分断され、第三部分シート２１Ｄが形成される。
さらに、取手１０５の形状に基づき前記「猫」の図柄が分断され、第四部分シート２１Ｅが形成されるのである。
【００２５】
このように、本実施形態における装飾シール２は、図１に示すように、装飾シート２１における「猫」の図柄（より具体的には、本体シート２１Ａ、第一部分シート２１Ｂ、第二部分シート２１Ｃ、第三部分シート２１Ｄ、及び第四部分シート２１Ｅ）が、「上面構成部品群」の各々の形状に基づいて、分断された構成となっている。
よって、自走式掃除機１００の上面における部品間の高低差に影響されることなく、前記自走式掃除機１００の上面と、装飾シート２１における「猫」の図柄との密着性は十分に確保されるのである。
【００２６】
ところで、本実施形態における装飾具１は、平面視における自走式掃除機１００の形態を、デフォルメされた「猫」の形態に擬態化させるためのものである。
この際、装飾具１においては、図１に示すように、前記「猫」の形態の尻尾の部分を擬態化する部品として、付属部品３が備えられる。
【００２７】
ここで、付属部品３は、植毛が施された延出部材からなり、その一端部には、略「Ｊ」字形状の掛止部３ａが突設されている。
一方、装飾シール２において、本体シート２１Ａの表面上の後部には、略「Ｕ」字形状の被掛止部材２４が突設されている。
【００２８】
そして、自走式掃除機１００の上面に貼設された本体シート２１Ａに対して、付属部品３は、掛止部３ａを介して、被掛止部材２４に掛止される。
このように、装飾シール２が貼設された自走式掃除機１００対して、付属部品３を設けることで、該自走式掃除機１００の平面視における形態は、愛らしい「猫」の形態に擬態化されることとなるのである。
【００２９】
こうして、自走式掃除機１００の上面に装飾シール２が貼設され、且つ付属部品３が連結されることにより、前記自走式掃除機１００の形態は、最も人の目に付く平面視の形態において、装飾具１によって装飾されることとなり、前記自走式掃除機１００の各使用者の好みに応じた形態、例えば、あたかも自走する愛らしい「猫」のように擬態化されるのである。
【００３０】
なお、本実施形態における装飾具１においては、装飾シート２１の表面に印刷される図柄を、デフォルメされた「猫」としているが、これに限定されるものではなく、例えばデフォルメされた「犬」や、その他の尻尾を有する愛らしい動物であればよい。
【００３１】
次に、音声発生装置４について説明する。
音声発生装置４は、前述した装飾シール２や付属部品３によって、愛らしい生き物を想起させる形態に装飾された自走式掃除機１００を、より一層愛らしく見せるためのものである。
具体的には、音声発生装置４は、装飾シール２や付属部品３によって装飾された自走式掃除機１００に着脱可能に着接され、該自走式掃除機１００の形態（例えば、本実施形態においては、デフォルメされた「猫」）に関連する効果音（例えば、本実施形態においては、「猫」の鳴き声）を、前記自走式掃除機１００の動作に基づき発生させるものである。
【００３２】
なお、音声発生装置４が自走式掃除機１００に着接されるための手段としては、例えば、前述した装飾シール２の粘着層２３と同等の物を用いてもよいし、或いは、既知のマジックテープ（登録商標）などを用いてもよい。
【００３３】
音声発生装置４は、図３に示すように、起動スイッチ４１や検出器４２や音声出力器４３や制御部４４などにより構成される。
前記起動スイッチ４１は、音声発生装置４の電源のＯＮ・ＯＦＦ状態を切替えるためのスイッチであって、例えば、既知の押しボタンスイッチなどによって構成される。
【００３４】
そして、音声発生装置４は、自走式掃除機１００に内装される電源（図示せず）、或いは該自走式掃除機１００に対して別途設けられる電源（図示せず）と電気的に接続されるとともに、前記自走式掃除機１００の起動状態に関わらず、起動スイッチ４１の操作のみに基づき、ＯＮ・ＯＦＦ状態の切替えが行えるようになっている。
【００３５】
検出器４２は、音声発生装置４の着接された自走式掃除機１００が移動状態にあること、即ち、該自走式掃除機１００が任意の方向に移動している最中であることを検出するため機器である。
検出器４２は、例えば、既知の赤外線センサーなどによって構成され、周囲の停止物が任意の方向に移動するのを検知することによって、音声発生装置４の着接された自走式掃除機１００の移動状態を検知することとしてもよいし、或いは既知のジャイロセンサーなどによって構成され、移動時に発生する慣性力を検知することによって、前記自走式掃除機１００の移動状態を検知するなどとしてもよい。
【００３６】
音声出力器４３は、所定の効果音、即ち、装飾シール２や付属部品３によって装飾された自走式掃除機１００の形態に関連する効果音を、出力するための機器である。
音声出力器４３は、例えば、音声データを記憶することが可能なＩＣ（Ｉｎｔｅｇｒａｔｅｄ  Ｃｉｒｃｕｉｔ：集積回路）などからなる出力器本体４３ａと、前記音声データを実際の効果音として出力するスピーカ４３ｂとにより構成される。
【００３７】
そして、本実施形態においては、自走式掃除機１００の形態が、装飾シール２、及び付属部品３によって、デフォルメされた「猫」の形態に装飾されることから、音声出力器４３には、前記「猫」の形態に関連する効果音として、「猫」の鳴き声に関する音声データが予め記憶されている。
ここで、音声出力器４３に予め入力される音声データとしては、例えば、「ニャーゴ」といった一種類の鳴き声であってもよいし、「ゴロゴロ」、「フギャー」などといった複数種類の鳴き声であってもよい。
【００３８】
なお、音声データとして、複数種類の鳴き声を音声出力器４３に入力する場合は、例えば、プログラム上にタイマーなどを設け、経過時間によってスピーカ４３ｂより出力される音声の種類を変更したり、或いは、検出器４２の個数及び（又は）種類を複数設け、各検出器４２の検出状態によって、スピーカ４３ｂより出力される効果音（鳴き声）の種類を変更したりしてもよい。
【００３９】
制御部４４は、記憶部や演算部を備えた、音声発生装置４全体の運転を制御するための装置であって、起動スイッチ４１や検出器４２や音声出力器４３などと電気的に接続される。
【００４０】
そして、制御部４４は、後述するように、起動スイッチ４１及び検出器４２からの入力信号に基づいて、音声出力器４３に出力信号を送信し、所定の音声を発生させるように構成されているのである。
【００４１】
以上に示したように、本実施形態における装飾具１は、主に、平面視における自走式掃除機１００の形態を装飾する装飾シール２や付属部品３と、該自走式掃除機１００の形態に関連する効果音を発生させる音声発生装置４とにより構成される。
そして、本実施形態における装飾具１においては、視覚を通じて認識される形態のみでなく、聴覚を通じて認識される効果音をも用いて、自走式掃除機１００を使用者の好みに応じた形態（例えば、あたかも自走する愛らしい生き物を想起させる形態）に擬態化させるのである。
【００４２】
［動作手順］
次に、本実施形態における装飾具１に備えられる音声発生装置４の動作手順について、図４を用いて説明する。
先ず始めに、音声発生装置４は、装飾シール２や付属部品３によって装飾された自走式掃除機１００に貼設されており、電源の状態がＯＦＦ状態（電源が入っていない状態。以下、同じ）となっている。
この際、自走式掃除機１００の状態については、電源が入った状態、或いは入っていない状態の何れであっても構わない。
【００４３】
このような状態からなる音声発生装置４において、起動スイッチ４１が操作され（ステップＳ１０１）、該音声発生装置４の電源の状態がＯＮ状態（電源が入った状態。以下、同じ）となる（ステップＳ１０２）。
なお、前記ステップＳ１０２において、音声発生装置４の電源の状態が、依然としてＯＦＦ状態である場合には、再度、起動スイッチ４１の操作が繰り返されることとなる（ステップＳ１０１）。
【００４４】
ＯＮ状態となった音声発生装置４において、自走式掃除機１００が自走を開始すると、検出器４２は、自走式掃除機１００が移動状態にあることを検知し（ステップＳ１０３）、制御部４４に電気信号を送信する。
【００４５】
前記電気信号を受信した制御部４４は、演算部にてプログラムを実行し、該プログラムの実行結果に基づいて、音声出力器４３に電気信号を送信する。
そして、前記電気信号を受信した音声出力器４３は、該電気信号に基づいて、所定の音声を出力する（ステップＳ１０４）。
【００４６】
その後、音声出力器４３による所定の効果音の出力は、自走式掃除機１００の自走が継続する限り続けられる。
そして、自走式掃除機１００が一旦停止すると、音声出力器４３による所定の効果音の出力は、一旦停止されるとともに、自走式掃除機１００の移動状態が、検出器４２によって再び検知されるまで（ステップＳ１０３）、音声発生装置４は待機することとなる。
【００４７】
一方、制御部４４に格納されるプログラム上には、タイマーが設けられており、前記ステップＳ１０３において、音声発生装置４がＯＮ状態となった後、自走式掃除機１００が自走を開始しない場合（即ち、自走式掃除機１００が停止状態を継続する場合）、予め定められた所定時間の経過によって（ステップＳ１０５）、前記タイマーが作動し、音声発生装置４の電源の状態が、自動的にＯＦＦ状態となる（ステップＳ１０６）。
これにより、音声発生装置４の動作手順は終了することとなる。
【００４８】
一方、前記ステップＳ１０５において、予め定められた所定時間が未だ経過していない場合には、自走式掃除機１００の移動状態が、検出器４２によって再び検知されるまで（ステップＳ１０３）、音声発生装置４は待機することとなるのである。
【００４９】
［音声発生装置２０４（別実施形態）］
次に、別実施形態における音声発生装置２０４の構成について、図５を用いて説明する。
別実施形態における音声発生装置２０４は、前述した音声発生装置４と略同等な構成を備える一方、切替スイッチ２４５を備える点について、前述した音声発生装置４と相異する。
よって、以下の説明においては、主に音声発生装置４との相異点について記載し、該音声発生装置４と同等な構成についての記載は省略する。
【００５０】
音声発生装置２０４は、起動スイッチ２４１や検出器２４２や音声出力器２４３や制御部２４４や切替スイッチ２４５などにより構成される。
前記切替スイッチ２４５は、音声出力器２４３によって出力される効果音の種類を、任意に切替えるためのスイッチである。
【００５１】
ここで、音声出力器２４３の出力器本体２４３ａには、複数の音声データが、予め定められたカテゴリー別に記憶されている。
具体的には、前記出力器本体２４３ａの記憶部には、例えば「猫」や「犬」などといった複数のカテゴリーからなる記憶フォルダーが各々用意されており、これらの記憶フォルダーごとに、「ニャーゴ」や「ワンワン」などといった複数の音声データが、選別して格納されている。
【００５２】
そして、切替スイッチ２４５は、例えば、既知のスライドスイッチやロータリースイッチなどによって構成され、前記切替スイッチ２４５を操作することによって、出力器本体２４３ａに記憶される何れのカテゴリーの音声データを、スピーカ２４３ｂによって実際の効果音として出力するかを任意に選択することができるようになっている。
【００５３】
なお、別実施形態における音声発生装置２０４の動作手順については、前述した音声発生装置４の動作手順と比べて、略同等な手順となる一方、音声発生装置２０４の起動スイッチ２４１を操作する際に、切替スイッチ２４５の操作も行う点について、前述した音声発生装置４と相することとなる。
【００５４】
このような別実施形態における音声発生装置２０４によれば、例え、異なる図柄が印刷された装飾シートによって自走式掃除機の平面視の形態が変更されたとしても（例えば、「猫」を想起させる形態から、「犬」を想起させる形態に変更されたとしても）、前記音声発生装置２０４自体を交換する必要もなく、容易に対応することができるのである。
【００５５】
以上のように、本実施形態における装飾具１は、自走機能を備える円盤状の自走式掃除機１００を装飾するための自走式掃除機用装飾具であって、前記自走式掃除機１００の上面を装飾する装飾手段としての装飾シール２や付属部品３と、これらの装飾シール２や付属部品３によって装飾された、前記自走式掃除機１００の形態に関連する効果音を発生する音声発生手段としての音声発生装置４と、を備える構成となっている。
【００５６】
このような構成を有することで、本実施形態における装飾具１によれば、自走機能を備える円盤状の自走式装飾具１００に対して、ペット型ロボットのような愛らしい玩具としての機能を備えさせることが可能となる。
【００５７】
即ち、本実施形態における装飾具１の装飾シール２や付属部品３を用いて、自走式掃除機１００の平面視の形態を装飾するとともに、音声発生装置４を用いて、装飾された自走式掃除機１００に対して、前記形態に関連する効果音を発生させることで、視覚を通じて認識される形態のみでなく、聴覚を通じて認識される効果音をも用いて、自走式掃除機１００を使用者の好みに応じた形態（例えば、あたかも自走する愛らしい生き物を想起させる形態）に擬態化させることが可能となり、自走式掃除機１００に対して、ペット型ロボットのような愛らしい玩具としての機能を十分に備えさせることができるのである。
【００５８】
また、本実施形態における装飾具１において、前記音声発生装置（音声発生手段）４は、電源のＯＮ・ＯＦＦ状態を切替えるための起動スイッチ４１と、前記自走式掃除機１００が移動状態にあることを検出する検出器４２と、前記効果音に関する音声データを予め記憶するとともに、該音声データを実際の効果音として出力する音声出力器４３と、前記起動スイッチ４１及び前記検出器４２からの入力信号に基づいて、前記音声出力器４３に出力信号を送信し、前記音声発生装置（音声発生手段）４の運転を制御する制御部４４と、を有する構成となっている。
【００５９】
このように、本実施形態における音声発生装置４は、最低限必要な起動スイッチ４１や検出器４２や音声出力器４３や制御装置４４のみによって、安価に構成することとしている。
そして、音声発生装置４は、独自の起動スイッチ４１を備えることから、該音声発生装置４が備えられる自走式掃除機１００の起動状態に関わらず、ＯＮ・ＯＦＦ状態の切替えを独立して行える構成となっている。
従って、例えば、自走式掃除機１００に対して、掃除機能のみを望む場合などには、該自走式掃除機１００の電源をＯＦＦ状態にすることなく、音声発生装置４の電源のみをＯＦＦ状態とすることができるのである。
【００６０】
また、別実施形態における装飾具１において、前記音声発生装置（音声発生手段）２０４において、前記音声出力器２４３（より具体的には、出力器本体２４３ａ）には、複数種類の音声データが予め記憶されており、実際の効果音として出力される音声データの種類を任意に選択可能な切替スイッチ２４５が設けられる構成となっている。
【００６１】
このような構成を有することによって、別実施形態における音声発生装置２０４によれば、例え、異なる図柄が印刷された装飾シートによって自走式掃除機の平面視の形態が変更されたとしても（例えば、「猫」を想起させる形態から、「犬」を想起させる形態に変更されたとしても）、前記音声発生装置２０４自体を交換する必要もなく、容易に対応することができるのである。
【００６２】
また、本実施形態、及び別実施形態における装飾具１において、前記自走式掃除機１００は、前記装飾シール２や付属部品３（装飾手段）によって「動物（本実施形態においては、デフォルメされた「猫」）」の形態に装飾され、前記音声発生装置（音声発生手段）４は、前記「動物」の鳴き声（本実施形態においては、猫の鳴き声）に関する音声を前記効果音として発生する構成となっている。
【００６３】
このような構成を有することにより、本実施形態における装飾具１によれば、音声発生装置４、或いは音声発生装置２０４を用いて、装飾された自走式掃除機１００の形態（「猫」の形態）に関連する音声（「猫」の鳴き声）を、前記自走式掃除機１００の動作に基づき発生させることが可能となり、前記自走式掃除機１００の形態を、より一層愛らしく見せることができるのである。
【符号の説明】
【００６４】
１    装飾具（自走式掃除機用装飾具）
２    装飾シール
３    付属部品
４    音声発生装置（音声発生手段）
４１    起動スイッチ
４２    検出器
４３    音声出力器
４４    制御部
１００    自走式掃除機
２０４    音声発生装置（音声発生手段）
２４３    音声出力器
２４３ａ    出力器本体
２４５    切替スイッチ
【図１】
2014014463.tif 000003
【図２】
2014014463.tif 000004
【図３】
2014014463.tif 000005
【図４】
2014014463.tif 000006
【図５】
2014014463.tif 000007
【図６】
2014014463.tif 000008